(57)【要約】【課題】  躍動感および興趣性に富んだ時刻表示を行う時刻表示装置、時刻表示方法およびプログラムを提供する。【解決手段】  画像表示を行う表示部と、計時を行う時計部と、連続画像から動く被写体部分を切り抜いてなる切抜動画像のデータを複数記憶可能な記憶手段と、時刻の各桁の値を表わす複数の数値と記憶手段に記憶される複数の切抜動画像とを対応づける対応付け手段とを備え、時計部の計時値に従って表示部の所定位置に時刻の各桁の値を表示することで時刻を表示するとともに、時刻の各桁の値を当該値に対応付けられている切抜動画像により表示する。【選択図】        図５
2012093270.tif 000002
【特許請求の範囲】
【請求項１】
画像表示を行う表示部と、
計時を行う時計部と、
連続画像から動く被写体部分を切り抜いてなる切抜動画像のデータを複数記憶可能な記憶手段と、
時刻の各桁の値を表わす複数の数値と前記記憶手段に記憶される複数の前記切抜動画像とを対応づける対応付け手段と、
前記時計部の計時値に従って前記表示部の所定位置に時刻の各桁の値を表示することで時刻を表示するとともに、前記各桁の値を当該値に対応付けられている前記切抜動画像により表示する時刻表示制御手段と、
を備えていることを特徴とする時刻表示装置。
【請求項２】
撮影を行う撮影手段と、
前記撮影手段により撮影された連続画像から動く被写体部分を切り抜いて前記切抜動画像を作成する動画像切抜手段と、
を備え、
前記動画像切抜手段により作成された前記切抜動画像が前記記憶手段に記憶されることを特徴とする請求項１記載の時刻表示装置。
【請求項３】
画像表示を行う表示部と計時を行う時計部とを用いて時刻を表示する時刻表示方法において、
連続画像から動く被写体部分を切り抜いてなる切抜動画像を時刻の各桁の値を表わす各数値に対応づける対応付けステップと、
前記時計部の計時値に従って前記表示部の所定位置に時刻の各桁の値を表示することで時刻を表示するとともに、前記各桁の値を当該値に対応付けられている前記切抜動画像により表示する時刻表示制御ステップと、
を含むことを特徴とする時刻表示方法。
【請求項４】
撮影手段を用いて撮影を行う撮影ステップと、
前記撮影ステップにより撮影された連続画像から動く被写体部分を切り抜いて前記切抜動画像を作成する動画像切抜ステップと、
を含み、
前記動画像切抜ステップにより作成された前記切抜動画像が前記対応付けステップにより時刻の各桁の値を表わす各数値に対応づけられることを特徴とする請求項３記載の時刻表示方法。
【請求項５】
画像表示を行う表示部と計時を行う計時部と接続されたコンピュータに、
連続画像から動く被写体部分を切り抜いてなる切抜動画像を時刻の各桁の値を表わす各数値に対応づける対応付け機能と、
前記時計部の計時値に従って前記表示部の所定位置に時刻の各桁の値を表示することで時刻を表示するとともに、前記各桁の値を当該値に対応付けられている前記切抜動画像により表示する時刻表示制御機能と、
を実現させるプログラム。
【請求項６】
前記コンピュータに、
さらに、
撮影手段を用いて撮影を行う撮影機能と、
前記撮影機能により撮影された連続画像から動く被写体部分を切り抜いて前記切抜動画像を作成する動画像切抜機能と、
を実現させ、
前記動画像切抜機能により作成された前記切抜動画像が前記対応付け機能により時刻の各桁の値を表わす各数値に対応づけられることを特徴とする請求項５記載のプログラム。
【発明の詳細な説明】
【技術分野】
【０００１】
この発明は、時刻を表示する時刻表示装置、時刻表示方法およびプログラムに関する。
【背景技術】
【０００２】
近年、画像データを書き込んだメモリカードを挿入することで、画像を写真のように表示するデジタル写真立て（フォトフレームと呼ばれる）が普及している。デジタル写真立てには、画像の表示と併せてカレンダーや時計の表示を行う付加機能を有するものもある。
【０００３】
また、近年、時刻を記したパネルを持った人物の静止画によって時刻を表示するコンピュータ画面用の表示時計がある。この表示時計においては、各パネルの時刻を１分ずつ異ならせて２４時間分の静止画データを用意しておき、これらの静止画を時刻に連動させて切り替えていくことで時刻を表示する。
【０００４】
また、本願発明に関連する技術として、特許文献１には、数字がスクロールされて時刻表示を行うデジタル時計の技術が開示されている。
【先行技術文献】
【特許文献】
【０００５】
【特許文献１】特許第４４９８５４９号公報
【発明の概要】
【発明が解決しようとする課題】
【０００６】
デジタル写真立てにおいては、ユーザが作成した様々の画像を表示することができるのに、時刻表示については予め用意された複数の形態で時刻を表示できるだけである。
【０００７】
また、２４時間分の静止画を用いて時刻表示を行うものでは、表示画像のデータ量が非常に大きくなり、ユーザ自らが全ての画像データを作成するのは難しい。また、画像が静止している期間が長いので躍動感や興趣性にやや欠ける表示内容となる。
【０００８】
この発明の目的は、興趣性に富んだ時刻表示を行うことのできる時刻表示装置、時刻表示方法およびプログラムを提供することにある。
【課題を解決するための手段】
【０００９】
上記目的を達成するため、請求項１記載の発明は、
画像表示を行う表示部と、
計時を行う時計部と、
連続画像から動く被写体部分を切り抜いてなる切抜動画像のデータを複数記憶可能な記憶手段と、
時刻の各桁の値を表わす複数の数値と前記記憶手段に記憶される複数の前記切抜動画像とを対応づける対応付け手段と、
前記時計部の計時値に従って前記表示部の所定位置に時刻の各桁の値を表示することで時刻を表示するとともに、前記各桁の値を当該値に対応付けられている前記切抜動画像により表示する時刻表示制御手段と、
を備えていることを特徴とする時刻表示装置である。
【００１０】
請求項２記載の発明は、請求項１記載の時刻表示装置において、
撮影を行う撮影手段と、
前記撮影手段により撮影された連続画像から動く被写体部分を切り抜いて前記切抜動画像を作成する動画像切抜手段と、
を備え、
前記動画像切抜手段により作成された前記切抜動画像が前記記憶手段に記憶されることを特徴としている。
【００１１】
請求項３記載の発明は、
画像表示を行う表示部と計時を行う時計部とを用いて時刻を表示する時刻表示方法において、
連続画像から動く被写体部分を切り抜いてなる切抜動画像を時刻の各桁の値を表わす各数値に対応づける対応付けステップと、
前記時計部の計時値に従って前記表示部の所定位置に時刻の各桁の値を表示することで時刻を表示するとともに、前記各桁の値を当該値に対応付けられている前記切抜動画像により表示する時刻表示制御ステップと、
を含むことを特徴としている。
【００１２】
請求項４記載の発明は、請求項３記載の時刻表示方法において、
撮影手段を用いて撮影を行う撮影ステップと、
前記撮影ステップにより撮影された連続画像から動く被写体部分を切り抜いて前記切抜動画像を作成する動画像切抜ステップと、
を含み、
前記動画像切抜ステップにより作成された前記切抜動画像が前記対応付けステップにより時刻の各桁の値を表わす各数値に対応づけられることを特徴としている。
【００１３】
請求項５記載の発明は、
画像表示を行う表示部と計時を行う計時部と接続されたコンピュータに、
連続画像から動く被写体部分を切り抜いてなる切抜動画像を時刻の各桁の値を表わす各数値に対応づける対応付け機能と、
前記時計部の計時値に従って前記表示部の所定位置に時刻の各桁の値を表示することで時刻を表示するとともに、前記各桁の値を当該値に対応付けられている前記切抜動画像により表示する時刻表示制御機能と、
を実現させるプログラムである。
【００１４】
請求項６記載の発明は、請求項５記載のプログラムにおいて、
さらに、前記コンピュータに、
撮影手段を用いて撮影を行う撮影機能と、
前記撮影機能により撮影された連続画像から動く被写体部分を切り抜いて前記切抜動画像を作成する動画像切抜機能と、
を実現させ、
前記動画像切抜機能により作成された前記切抜動画像が前記対応付け機能により時刻の各桁の値を表わす各数値に対応づけられることを特徴としている。
【発明の効果】
【００１５】
本発明に従うと、ユーザが作成した切抜動画像を時刻の各桁の表示に用いて躍動感と興趣性に富んだ時刻表示を行うことができる。
【図面の簡単な説明】
【００１６】
【図１】本発明の実施形態のフォトフレームの全体構成を示すブロック図である。
【図２】実施形態のフォトフレームの外観を示す斜視図である。
【図３】記録媒体に形成される複数の記憶エリアと記憶データを示すデータチャートである。
【図４】時刻の各桁の値を表す数値と切抜動画像との対応関係の一例を示すデータテーブルである。
【図５】フォトフレームに表示される時刻表示の一例を示す図で、（ａ）は動画表示の例、（ｂ）は通常のデジタル表示の例である。
【図６】ＣＰＵにより実行されるメイン制御処理の処理手順を示すフローチャートである。
【図７】図６のステップＳ３の画像表示処理の詳細な処理手順を示すフローチャートである。
【図８】図６のステップＳ７の撮影処理の詳細な処理手順を示すフローチャートである。
【図９】図６のステップＳ１１の画像切り抜き処理の詳細な処理手順を示すフローチャートである。
【図１０】図６のステップＳ９の編集処理の詳細な処理手順を示すフローチャートである。
【図１１】図６のステップＳ５の時計表示処理の詳細な処理手順を示すフローチャートである。
【発明を実施するための形態】
【００１７】
以下、本発明の実施の形態を図面に基づいて説明する。
【００１８】
図１は、本発明の実施形態のフォトフレーム１の全体構成を示すブロック図、図２は、フォトフレーム１の外観を示す斜視図である。
【００１９】
この実施形態のフォトフレーム１は、図２に示すように、台の上に載置したり壁に掛けたりして、ユーザが用意した画像を写真のように表示するデジタル写真立てである。さらに、このフォトフレーム１には撮影機能と時計表示の機能も付加されている。
【００２０】
このフォトフレーム１は、図１に示すように、装置の全体的な制御を行うＣＰＵ（中央演算処理装置）１０と、ＣＰＵ１０が実行する制御プログラムや制御データが格納されたプログラムＲＯＭ（Read Only Memory）１１と、ＣＰＵ１０に作業用のメモリ空間を提供するワークＲＡＭ（Random Access Memory）１２と、画像表示を行う表示部１３と、映像の撮像を行って静止画や動画の画像データを生成するカメラ部１４と、外部から操作指令を入力するスイッチ部１５と、画像データを記憶する挿抜可能にされた例えばメモリカードなとれの記録媒体２１と、記録媒体２１のデータ読み書きを行うＩ／Ｆ（インターフェース）部１６と、現在時刻の計時を行う時計部１７と、ＣＰＵ１０と各部とを結ぶバス１９等を備えている。
【００２１】
表示部１３は、図２に示すように装置前面の表示パネル１３Ａを有し、ＣＰＵ１０により描画された画像を表示パネル１３Ａに表示出力する。
【００２２】
カメラ部１４は、ＣＣＤ（Charge Coupled Device）などの撮像部と、撮像部に映像を結ぶレンズと、撮像信号に対して信号処理を行ってデジタルの画像データを生成する信号処理部等を備え、ＣＰＵ１０の指令に基づいて撮影処理を実行する。
【００２３】
スイッチ部１５には、撮影タイミングを与えるシャッタースイッチ、動作モードの選択や各種設定の操作入力を行う複数の操作スイッチが設けられている。
【００２４】
プログラムＲＯＭ１１には、ユーザによる動作モードの選択によってデジタル写真立て、デジタルカメラ、時計等の各機能を実現させるメイン制御処理のプログラムが格納されている。また、撮影した連続画像の中から動く被写体部分を切り抜いて、この動く被写体部分のみを表わした切抜動画像を作成するモジュールプログラムが格納されている。これらのプログラムは、プログラムＲＯＭ１１に格納するほか、例えば、データ読取装置を介してＣＰＵ１０が読み取り可能な、例えば、光ディスク等の可搬型記録媒体、フラッシュメモリ等の不揮発性メモリに格納しておくことが可能である。また、このようなプログラムをキャリアウェーブ（搬送波）を媒体として通信回線を介してフォトフレーム１にダウンロードされる形態を適用することもできる。
【００２５】
切抜動画像の作成は次のようにして実現される。先ず、ほぼ固定された背景の手前で動く被写体が写っている連続画像と、背景のみの画像とをユーザに撮影させる。そして、動く被写体が写っている連続画像と背景のみの画像との差分をとることで動く被写体部分のみを抽出する。そして、背景の部分を透明とした動画像データを作成し、これを切抜動画像とする。
【００２６】
或いは、次のようにして切抜動画像を作成するようにもできる。先ず、ほぼ固定された背景の手前で動く被写体が写っている連続画像をユーザに撮影させ、この連続画像に対して動く被写体を切抜対象のオブジェクトとして外部からユーザに指定操作させる。そして、連続画像の前後の比較から当該動く被写体部分と固定された背景とを分離する。続いて、動く被写体部分のみを抽出して背景を透明とした動画像データを作成し、これを切抜動画像とする。このような処理は周知の画像処理技術を用いて適宜実現可能なものであり、その詳細は省略する。
【００２７】
図３には、記録媒体２１に形成される複数の記憶エリアと記憶データを表わしたデータチャートを示す。
【００２８】
記録媒体２１には、カメラ部１４により撮影された静止画像や動画像が記憶される画像エリア２１１と、切抜動画像のデータが記憶される切り抜き画像エリア２１２と、時計表示の際に数字の代わりとなる切抜動画像の対応データが記憶される時計画像エリア２１３とが形成される。なお、この記録媒体２１を、他のデジタルカメラに装着して、このデジタルカメラで撮影や切抜動画像の作成を行うことで、撮影された動画像のデータが上記の画像エリア２１１に記憶され、作成された切抜動画像のデータが上記の切り抜き画像エリア２１２に記憶されるように構成しても良い。また、ユーザがコンピュータを用いて記録媒体２１の画像エリア２１１に静止画や動画の画像データを書き込んだり、切り抜き画像エリア２１２に切抜動画像のデータを書き込んだりできるように構成しても良い。
【００２９】
時計画像エリア２１３には、例えば時刻の時桁、１０分桁、１分桁の値を表わす数字“０〜１１”にそれぞれ対応した１１個の記憶エリアが形成され、後述する編集処理において切り抜き画像エリア２１２の切抜動画像の番号が登録されるようになっている。この番号登録により、時刻を表示する“０〜１１”の複数の数値と複数の切抜動画像とがそれぞれ対応付けられる。このような時計画像エリア２１３のデータにより、切抜動画像と時刻の各桁の値とを対応づける対応付け手段が構成される。
【００３０】
次に、上記構成のフォトフレーム１の動作の概略を説明する。
【００３１】
この実施形態のフォトフレーム１においては、通常の画像表示モードのときには、画像エリア２１１に格納された動画や静止画の画像データを表示パネル１３Ａに表示させて、写真立てのように機能する。ユーザが、画像の切替スイッチを操作することで、表示される動画や静止画を、画像エリア２１１に格納されている複数の画像データの中から一つずつ切り替えることができる。
【００３２】
また、撮影モードに切り替えると、一般的なデジタルカメラと同様に静止画や短い動画の撮影を行って、撮影された画像データを記録媒体２１の画像エリア２１１に格納することができる。
【００３３】
図４には、時刻の各桁の値を表す数値と切抜動画像との対応関係の一例を表わしたデータテーブルを示す。図４中、切抜動画像はその最初と終わりの画像を矢印で結んで表わしている。図５には、表示パネル１３Ａに表示される時刻表示の一例を示す。図５の（ａ）は動画表示の例、（ｂ）は通常のデジタル表示の例である。
【００３４】
フォトフレーム１を時計表示モードに切り替えると、図５（ａ），（ｂ）に示すように、表示パネル１３Ａの一部の領域に現在時刻の表示を行うことができる。図５（ｂ）は数字を用いたる通常のデジタル表示であり、図５（ａ）は切抜動画像を用いた時刻の動画表示である。時刻のデジタル表示と動画表示とは切替スイッチの操作により、ユーザが切り替えることができる。
【００３５】
なお、時刻表示モードの際には、表示パネル１３Ａに時刻表示のみを行うようにしても良いし、表示パネル１３Ａの一部の領域に画像表示を行いながら、他の領域に時刻表示を行うようにしても良い。或いは、表示パネル１３Ａに画像表示を行いながら、この画像表示に重ねて時刻表示を行うようにすることもできる。
【００３６】
図５（ａ）の動画表示は、記録媒体２１の時計画像エリア２１３のデータにより数値と対応付けられた切抜動画像が時刻の各桁の値として表示されるものである。図４に示すように、時刻の各桁の値を表わす数値“０〜１１”に切り抜き画像エリア２１２の複数の切抜動画像がそれぞれ対応付けられている。そして、例えば“４時０３分”であれば、時桁の表示領域４１に、時計画像エリア２１３のエリア（４）に登録されている番号の切抜動画像（図４、図５の例では手旗信号の数字「４」を表わすもの）が表示され、１０分桁の表示領域４２にはエリア（０）の番号の切抜動画像が表示され、１分桁の表示領域４３にはエリア（３）の番号の切抜動画像が表示される。
【００３７】
ユーザは、時刻の各桁の値を表わす複数の切抜動画像を作成して、時計画像エリア２１３のデータにより数値“０〜１１”にそれぞれ対応づけることで、この切抜動画像による時刻表示を楽しむことができる。
【００３８】
この実施形態のフォトフレーム１では、さらに、表示画面を見ながらユーザがスイッチ部１５を操作することで、上記撮影モードで撮影した動画像から切抜動画像を作成したり、作成した切抜動画像が時刻の動画表示に使用されるように数値との対応づけを行えるようになっている。
【００３９】
次に、上記の各機能動作を実現するメイン制御処理についてフローチャートに基づき詳細に説明する。
【００４０】
図６は、ＣＰＵ１０により実行されるメイン制御処理の制御手順を示すフローチャートである。
【００４１】
電源投入によりこのメイン制御処理が開始されると、先ず、ＣＰＵ１０はモードフラグ“ＭＦ”や各変数に初期値をセットするイニシャライズ処理（ステップＳ１）を行う。モードフラグ“ＭＦ”は、装置の動作モードを表わす値が代入される制御変数であり、初期値は“０”にされる。
【００４２】
続いて、このモードフラグ“ＭＦ”の値に応じた分岐処理を繰り返す。すなわち、モードフラグ“ＭＦ”の値を判別し（ステップＳ２，Ｓ４，Ｓ６，Ｓ８，Ｓ１０）、“０”であれば画像表示処理（ステップＳ３）へ移行し、“１”であれば時計表示処理（ステップＳ５）へ移行し、“２”であれば撮影処理（ステップＳ７）へ移行し、“３”であれば編集処理（ステップＳ９）へ移行し、“４”であれば画像切り抜き処理（ステップＳ１１）へ移行する。
【００４３】
モードフラグ“ＭＦ”の値は、ステップＳ３，Ｓ５，Ｓ７，Ｓ９，Ｓ１１の各処理の中でモードスイッチの操作によりユーザにより切り替えられる。
【００４４】
図７には、図６のステップＳ３の画像表示処理の詳細なフローチャートを示す。
【００４５】
モードフラグ“ＭＦ”が“０”で画像表示処理に移行すると、ＣＰＵ１０は、先ず、記録媒体２１の画像エリア２１１の中からＧ番目の画像を表示部１３に表示出力する（ステップＳ２１）。さらに、表示する画像を切り替える切替スイッチの操作の有無を判別し（ステップＳ２２）、無ければ、モードスイッチの操作の有無を判別する（ステップＳ２６）。そして、この操作も無ければ、そのままこの画像表示処理を終了する。
【００４６】
モードスイッチの操作が無くてモードフラグ“ＭＦ”が“０”のままであれば、図６のメイン制御処理の中でステップＳ３の画像表示処理が繰り返し実行される。それにより、ステップＳ２１の表示処理が繰り返し実行されて、画像が動画像であれば、表示パネル１３Ａに動画像が表示される。
【００４７】
この画像表示処理が繰り返し実行される間に、ユーザが切替スイッチを操作すれば、ステップＳ２２の判別処理で“ＹＥＳ”側に移行して、表示画像の番号を示す変数“Ｇ”を画像数を超えないように１つずつ更新する（ステップＳ２３〜Ｓ２５）。これにより、表示部１３に表示出力される画像が１つずつ変更される。
【００４８】
また、画像表示処理が繰り返し実行される間に、ユーザがモードスイッチを操作すれば、ステップＳ２６の判別処理で“ＹＥＳ”側に移行して、モードフラグ“ＭＦ”をモードスイッチに応じた値“０〜４”に書き換える（ステップＳ２７）。これにより、図６のメイン制御処理で変更後の動作モードの処理に移行される。
【００４９】
図８には、図６のステップＳ７の撮影処理の詳細なフローチャートを示す。
【００５０】
モードフラグ“ＭＦ”が“２”に書き換えられて撮影処理に移行すると、先ず、ＣＰＵ１０はカメラ部１４の電源をオンにしてカメラ部１４を起動させる（ステップＳ３１）。次いで、カメラ部１４により撮像されたスルー画像の映像を表示部１３に表示出力させる（ステップＳ３２）。ユーザは、このスルー画像を見ながら撮影対象を選定できる。
【００５１】
続いて、撮影開始を示すスタートスイッチの操作の有無を判別し（ステップＳ３３）、無ければ、モードスイッチの操作の有無を判別し（ステップＳ３９）、これも無ければ、ステップＳ３２に戻って、スルー画像の表示処理（ステップＳ３２）とスイッチ操作の判別処理（ステップＳ３３，Ｓ３９）とを繰り返す。
【００５２】
そして、この繰り返し処理の間に、スタートスイッチが操作されたら、カメラ部１４から出力される映像データをワークＲＡＭ１２に蓄積し（ステップＳ３４）、表示部１３にこの映像を表示出力する（ステップＳ３５）。そして、撮影終了を示すストップスイッチの操作の有無を判別し（ステップＳ３６）、その操作がなければステップＳ３４〜Ｓ３６のループ処理を繰り返す。
【００５３】
そして、ストップスイッチの操作がなされたら、ステップＳ３６の判別処理で“ＹＥＳ”側へ移行して、記録媒体２１の画像エリア２１１の空領域の番号を変数“Ｇ”に代入し（ステップＳ３７）。ステップＳ３４で蓄積した映像の動画像データを画像（Ｇ）として画像エリア２１１のＧ番目の領域に書き込む（ステップＳ３８）。その後、再び、スイッチ操作の判別処理（Ｓ３９，Ｓ３３）とスルー画像の表示処理（ステップＳ３２）とを繰り返す。
【００５４】
ユーザは、この繰り返し処理の中で、スタートスイッチとストップスイッチを複数回操作することで、複数回の撮影を行って複数個の画像データを記録媒体２１の画像エリア２１１に書き込むことができる。
【００５５】
また、上記ステップＳ３２，Ｓ３３，Ｓ３９の繰り返し処理の中で、ユーザがモードスイッチを操作することで、ステップＳ３９の判別処理で“ＹＥＳ”側に移行して、ＣＰＵ１０は、モードフラグ“ＭＦ”をモードスイッチに応じた値“０〜４”に書き換える（ステップＳ４０）。続いて、カメラ部１４の電源をオフして（ステップＳ４１）、この撮影処理を終了する。ステップＳ４０のモードフラグ“ＭＦ”の書き換えにより、この後のメイン制御処理（図６）で次に選択された動作モードの処理に移行される。
【００５６】
図９には、図６のステップＳ１１の画像切り抜き処理のフローチャートを示す。
【００５７】
この画像切り抜き処理は、記録媒体２１の画像エリア２１１に格納されている動画像から切抜動画像を作成して、切り抜き画像エリア２１２に格納していく処理である。
【００５８】
モードフラグ“ＭＦ”が“４”に書き換えられて画像切り抜き処理に移行すると、先ず、ＣＰＵ１０は、記録媒体２１の画像エリア２１１のエリア番号を表わす変数“Ｇ”に初期値をセットし（ステップＳ５１）、画像エリア２１１の画像（Ｇ）を表示部１３に表示出力する（ステップＳ５２）。
【００５９】
そして、切替スイッチの操作の有無を判別して（ステップＳ５３）、無ければ、動く被写体を切抜対象のオブジェクトとしてユーザに指定させるオブジェクト指定操作の有無を判別する（ステップＳ５６）。その結果、この操作も無ければ、モードスイッチの操作の有無を判別して（ステップＳ６０）、これも無ければステップＳ５２に戻る。すなわち、画像（Ｇ）を表示して何も操作がなければ、上記のステップＳ５１，Ｓ５３，Ｓ５６，Ｓ６０のループ処理が繰り返される。
【００６０】
このループ処理中に、切替スイッチが操作されると、ステップＳ５３の判別処理で“ＹＥＳ”側に移行して、ＣＰＵ１０は、変数“Ｇ”の値を画像数を超えないように１つずらす（Ｓ５４，Ｓ５５，Ｓ５１）。この処理により、画像エリア２１１に格納されている複数の画像の中から処理対象を一つずつ切り替えていくことができる。そして、再び、ステップＳ５１，Ｓ５３，Ｓ５６，Ｓ６０のループ処理に戻る。
【００６１】
このループ処理中、オブジェクト指定操作（例えばカーソル移動による画面座標の指定操作など）が有ると、ステップＳ５６の判別処理で“ＹＥＳ”側へ移行して、画像（Ｇ）から指定された動く被写体部分を切り抜いて切抜動画像を作成する画像処理を行う（ステップＳ５７：動画像切抜手段）。そして、切り抜き画像エリア２１２の空き領域の番号を変数“ＫＧ”に代入し（ステップＳ５８）、ステップＳ５７で作成した切抜動画像を切り抜き画像エリア２１２のＫＧ番目の領域に書き込む（ステップＳ５９）。そして、再び、ステップＳ５１，Ｓ５３，Ｓ５６，Ｓ６０のループ処理に戻る。
【００６２】
さらに、このループ処理中、モードスイッチの操作があれば、ステップＳ６０の判別処理で“ＹＥＳ”側へ移行して、モードフラグ“ＭＦ”をモードスイッチに応じた値“０〜４”に書き換える（ステップＳ６１）。そして、この画像切り抜き処理を終了する。この書き換えにより、この後のメイン制御処理（図６）で次に選択された動作モードの処理に移行される。
【００６３】
なお、上記画像切り抜き処理では、撮影処理で作成された動画の画像データを後から選択して切抜動画像を作成する構成としているが、撮影処理の際に、切抜動画像の作成用に背景のみの映像と背景の前で被写体が動く映像とを撮影させ、同時に、両者の差分から動く被写体のみを切り抜いた切抜動画像を作成するように構成しても良い。
【００６４】
図１０には、図６のステップＳ９の編集処理の詳細なフローチャートを示す。
【００６５】
この編集処理は、記録媒体２１の切り抜き画像エリア２１２に格納された切抜動画像を、時刻の各桁の値を表わす各数値と対応づけるための処理である。
【００６６】
モードフラグ“ＭＦ”が“３”に書き換えられて編集処理に移行すると、先ず、ＣＰＵ１０は、時刻の各桁の値を表わす変数“Ｎ”に初期値“０”を書き込む（ステップＳ７１）。そして、表示部１３に変数“Ｎ”の数字を表示出力する（ステップＳ７２）。さらに、切り抜き画像エリア２１２のエリア番号を示す変数“ＫＧ”に初期値を代入し（ステップＳ７３）、表示部１３の変数“Ｎ”の値の表示近傍に、切り抜き画像エリア２１２のＫＧ番目の切抜動画像を表示出力する（ステップＳ７４）。
【００６７】
その後、決定スイッチの操作の有無を判別し（ステップＳ７５）、無ければ切替スイッチの操作の有無を判別し（ステップＳ７６）、これも無ければモードスイッチの操作の有無を判別する（ステップＳ８４）。さらに、これも無ければステップＳ７５に戻り、何れかの操作が有るまでステップＳ７５，Ｓ７６，Ｓ８４のループ処理を繰り返す。
【００６８】
このループ処理中に、切替スイッチが操作されると、ステップＳ７６の判別処理で“ＹＥＳ”側へ移行して、切り抜き画像エリア２１２のエリア番号の変数“ＫＧ”を画像数を超えないように一つずらす（ステップＳ７７，Ｓ７８，Ｓ７３）。さらに、ステップＳ７４の表示処理で切抜動画像の表示を次のＫＧ番号のものに切り替える。これらの処理により、ユーザが切替スイッチを何度も操作することで、変数“Ｎ”の値に対応づける切抜動画像を次々と切り替えていくことができる。そして、再び、ステップＳ７５，Ｓ７６，Ｓ８４のループ処理に戻る。
【００６９】
また、このループ処理中、決定スイッチが操作されると、ステップＳ７５の判別処理で“ＹＥＳ”側へ移行して、ＣＰＵ１０は、時計画像エリア２１３のＮ番目のエリアに変数“ＫＧ”の値を記憶させる（ステップＳ７９）。次いで、変数“Ｎ”の値を更新し（ステップＳ８０）、表示部１３の表示出力をクリアして（ステップＳ８１）、変数“Ｎ”の値が最大値“１１”を超えずに循環的に更新されるように調整して（ステップＳ８２，Ｓ８３）、ステップＳ７２に戻る。そして、更新された変数“Ｎ”の値の表示（ステップＳ７２）と、０番目の切抜動画像の表示（ステップＳ７３，Ｓ７４）とを行って、再び、ステップＳ７５，Ｓ７６，Ｓ８４のループ処理に戻る。
【００７０】
つまり、決定スイッチを操作することで、表示部１３に表示されている変数“Ｎ”の数値および切抜動画像が対応づけられるとともに、変数“Ｎ”が更新されて次の数値への切抜動画像の対応付けの処理に移行するようになっている。
【００７１】
また、上記のステップＳ７５，Ｓ７６，Ｓ８４のループ処理中、モードスイッチが操作されると、ステップＳ８４の判別処理で“ＹＥＳ”側へ移行して、ＣＰＵ１０は、モードフラグ“ＭＦ”をモードスイッチに応じた値“０〜４”に書き換えて（ステップＳ８５）、この編集処理を終了する。そして、この後のメイン制御処理（図６）で次に選択された動作モードの処理に移行される。
【００７２】
図１１には、図６のステップＳ５の時計表示処理の詳細なフローチャートを示す。
【００７３】
時計表示処理は、時計部１７の計時データに従って、表示部１３に図５（ａ）のような時刻の動画表示、或いは、図５（ｂ）のような時刻のデジタル表示を行うものである。
【００７４】
モードフラグ“ＭＦ”が“１”に書き換えられて時刻表示処理に移行すると、先ず、ＣＰＵ１０は、時計部１７より計時データを取得する（ステップＳ９１）。そして、時刻の時桁、１０分桁、１分桁の値をそれぞれ変数“Ｈ，Ｍ，Ｎ”に代入する（ステップＳ９２）。
【００７５】
次に、動画表示フラグ“ＡＦ”の値を確認して（ステップＳ９３）、“１”であれば時計画像エリア２１３から変数“Ｈ，Ｍ，Ｎ”に対応する切抜動画像の番号を読み出して変数“ＫＧ１，ＫＧ２，ＫＧ３”に代入する（ステップＳ９４：時刻表示制御手段）。そして、表示部１３の時桁の表示領域４１（図５参照）に切り抜き画像エリア２１２のＫＧ１番目の切抜動画像を表示し、１０分桁の表示領域４２にＫＧ２番目の切抜動画像を表示し、１分桁の表示領域４３にＫＧ３番目の切抜動画像を表示する（ステップＳ９５：時刻表示制御手段）。そして、次に進む。
【００７６】
一方、ステップＳ９３の判別処理で動画表示フラグ“ＡＦ”の値が“１”以外であると判別されたら、ＣＰＵ１０は、変数“Ｈ，Ｍ，Ｎ”の値に従って表示部１３の表示領域４１〜４３にデジタル表示用の数字画像を表示する（ステップＳ９６）。そして、次に進む。
【００７７】
つまり、上記ステップＳ９３〜Ｓ９６の処理により、動画表示フラグ“ＡＦ”の値に応じて時刻の動画表示又はデジタル表示が実行される。
【００７８】
時刻の表示を行って次に進んだら、続いて、ＣＰＵ１０は、時計切替スイッチの操作の有無を判別し（ステップＳ９７）、操作が有れば、動画表示フラグ“ＡＦ”の値を反転させる（ステップＳ９８）。一方、操作が無ければ、そのまま次に進む。次いで、ＣＰＵ１０は、モードスイッチの操作の有無を判別し（ステップＳ９９）、操作が無ければ、時刻の更新に遅れない程度の時間だけ待機処理を行って（ステップＳ１００）、ステップＳ９１に戻る。それにより、ステップＳ９１からの処理が繰り返されて、時計部１７の計時データに従って動画表示又は通常のデジタル表示により時刻が表示されていく。
【００７９】
一方、モードスイッチが操作されていれば、ステップＳ９９の判別処理で“ＹＥＳ”側へ移行して、モードフラグ“ＭＦ”をモードスイッチに応じた値“０〜４”に書き換え（ステップＳ１０１）、この時計表示処理を終了する。そして、この後のメイン制御処理（図６）で次に選択された動作モードの処理に移行される。
【００８０】
以上のような制御処理により、上述したようなデジタル写真立て、デジタルカメラ、デジタル時計としての各機能、ならびに、時刻の動画表示に必要な設定処理が実現される。
【００８１】
以上のように、この実施形態のフォトフレーム１によれば、記録媒体２１に格納された切抜動画像を時刻の各桁を表わす数字と対応づけて、切抜動画像により時刻を表示することができるので、躍動感のある興趣性に富んだ時計を提供することができる。
【００８２】
また、フォトフレーム１に、動画像の撮影機能、および、動画像から動く被写体部分を切り抜いてなる切抜動画像を作成する機能が備わっているので、フォトフレーム１のみで時刻表示に使用する切抜動画像の作成まで行うことができる。
【００８３】
また、切抜動画像は、静止画と重ねて表示することで、この静止画内で被写体が動作しているような画像表示を行うことができる。従って、静止画の表示上に切抜動画像による時刻表示を重ねて行うことで、興趣性に非常に富んだ写真立ておよび時計の機能を実現できる。
【００８４】
なお、本発明は、上記実施の形態に限られるものではなく、様々な変更が可能である。例えば、上記実施形態では、フォトフレーム１自体に撮影機能と切抜動画像の作成機能とを付加した形態を示したが、これらの機能を省くこともできる。その場合、例えば、デジタルカメラ等で撮影し作成した切抜動画像を記録媒体２１の切り抜き画像エリア２１２に記憶させ、この記録媒体２１をフォトフレーム１に装着するようにすれば良い。
【００８５】
また、上記実施形態では、編集処理によって、ユーザが表示部１３の画面を見ながら時刻の数字と切抜動画像との対応づけを行うようにしているが、その他の方式によりこの対応付けを行えるようにしても良い。例えば、記録媒体２１に時刻の各数字に対応する領域或いはフォルダを設けて、そこに切抜動画像を格納することで、これらが対応付けられるようにしても良い。また、時刻の各数字と切抜動画像とのファイル名とを対応づけるデータテーブルを設けて、このデータテーブルにより両者の対応付けが行われるようにしても良い。このように構成した場合、ユーザは、切抜動画像の格納先やファイル名を変更することで、所望の切抜動画像を時刻の各数字に対応づけることができる。
【００８６】
また、上記実施形態では、時刻の１０秒桁や１秒桁は表示しないようにしているが、これらも同様に表示するようにしても良い。また、時刻の１０時桁と１時桁を分離して切抜動画像により表示するようにしても良い。また、時刻だけでなく、年月日、曜日、天気情報なども同様に切抜動画像で表示するようにしても良い。天気情報は、通信回線を介して外部サーバからダウンロードして取得するように構成することができる。その他、実施形態で示した細部等は発明の趣旨を逸脱しない範囲で適宜変更可能である。
【符号の説明】
【００８７】
１      フォトフレーム
１０    ＣＰＵ
１１    プログラムＲＯＭ
１２    ワークＲＡＭ
１３    表示部
１３Ａ  表示パネル
１４    カメラ部（撮影手段）
１５    スイッチ部
１６    Ｉ／Ｆ部
１７    時計部
１９    バス
２１    記録媒体（記憶手段）
２１１  画像エリア
２１２  切り抜き画像エリア
２１３  時計画像エリア（対応付け手段）
４１    時桁の表示領域
４２    １０分桁の表示領域
４３    １分桁の表示領域
【図１】
2012093270.tif 000003
【図２】
2012093270.tif 000004
【図３】
2012093270.tif 000005
【図４】
2012093270.tif 000006
【図５】
2012093270.tif 000007
【図６】
2012093270.tif 000008
【図７】
2012093270.tif 000009
【図８】
2012093270.tif 000010
【図９】
2012093270.tif 000011
【図１０】
2012093270.tif 000012
【図１１】
2012093270.tif 000013